(57)【特許請求の範囲】
【請求項１】
地盤層内に設ける磁歪線と、この磁歪線に沿って移動可能に設けられ永久磁石を有する計測ターゲットと、この計測ターゲットに設けられ前記地盤層内で拡大して該計測ターゲットを前記地盤層に固定する拡大固定手段と、前記磁歪線の長さ方向に対する前記計測ターゲットの位置を磁歪効果により検出する計測器とを備え、前記地盤層にケーシングを挿入し、このケーシング内にガイド管を配置すると共に、このガイド管内に前記磁歪線を配置し、前記ガイド管と前記ケーシングとの間に前記計測ターゲットを配置し、この計測ターゲットを前記ケーシングから出すことにより該計測ターゲットを前記地盤層に固定し、前記地盤層に前記ガイド管を埋設した地盤層の変位計測装置であって、前記計測ターゲットは、前記ガイド管に遊挿するガイド孔を有し、前記ガイド管に沿って前記計測ターゲットを移動可能に設け、前記拡大固定手段は、上，下筒部と、これら上，下筒部に上下を固定し外周側に凸に湾曲するスペーサと、下端を前記下筒部に固定し外周拡大方向に付勢されたバネ手段と、前記ケーシング収納状態で該ケーシングの内面に圧接する前記バネ手段の先端とを備えることを特徴とする地盤層の変位計測装置。
【請求項２】
地盤層内に設ける磁歪線と、この磁歪線に沿って移動可能に設けられ永久磁石を有する計測ターゲットと、この計測ターゲットに設けられ前記地盤層内で拡大して該計測ターゲットを前記地盤層に固定する拡大固定手段と、前記磁歪線の長さ方向に対する前記計測ターゲットの位置を磁歪効果により検出する計測器とを用い、前記計測ターゲットを前記地盤層に固定する地盤層の変位計測装置の設置方法において、前記地盤層にケーシングを挿入し、このケーシング内にガイド管を配置すると共に、このガイド管内に前記磁歪線を配置し、前記ガイド管と前記ケーシングとの間に前記計測ターゲットを配置し、前記ケーシング内の前記計測ターゲットを押えると共に押込むことができる押込管は、前記ケーシングの内径より小さいと共に前記ガイド管の外径より大きく、地上から前記ガイド管と前記ケーシングとの間に挿入した前記押込管により、前記計測ターゲットを前記ケーシングより押し出すことにより該計測ターゲットを前記地盤層に固定することを特徴とする地盤層の変位計測装置の設置方法。
【発明の詳細な説明】
【０００１】
【産業上の利用分野】
本発明は、地中の地盤層の変位を検出する地盤層の変位計測装置とその設置方法に関する。
【０００２】
【発明が解決しようとする課題】
地盤や人工構造物などの変位を計測するものとして、磁歪式変位センサが知られており、この一例を図９及び図１０に示すと、斜面などの岩盤に計測装置を設け、この計測装置は、棒状の磁歪線101を設けた計測器102を斜面の一側に固定し、前記磁歪線101の長さ方向に沿って永久磁石103をスライド可能に設け、この永久磁石103を設けた計測ターゲット104を前記岩盤の他側に固定してなる。そして、前記磁歪線101の基端側から矢印Ａ方向に電流パルス信号を与えると、磁歪線101の周囲に円周方向磁場が生じる。ここで前記計測ターゲット104の永久磁石103は前記磁歪線101に沿って配置されており、前記永久磁石103に対応して前記磁歪線101には軸方向磁場が与えられ、前記軸方向磁場には点線で示すような斜めの磁場が生じ、この影響で前記磁歪線101上の永久磁石103位置に、局部的なねじり歪が発生する（ウィーデマン効果）。このねじり歪は一種の超音波振動であり、この超音波振動は金属である磁歪線101上を音速で伝播し、この超音波振動の伝播時間を計測することにより、前記永久磁石103の位置が計測できる。そして、前記計測器102には、超音波振動を検出する超音波振動検出器105が設けられており、前記電流パルス信号が磁歪線101の基端に入力された時点と前記検出器105が超音波振動を検出した時点との時間差から、永久磁石103の磁歪線101に沿った距離を計測して計測ターゲット104の位置を知ることができるようになっている。
【０００３】
上記磁歪式変位センサでは、超音波振動の伝播時間を計測することにより、計測器102と計測ターゲット104との間の距離を計測し、その変位を正確に測定することができる。
【０００４】
ところで、上記磁歪式変位センサを地中の変位測定に用いたものとして、特開２００１−９１３１３号公報の変位計測方法には、地盤層にケーブル状センサを挿通し、各層において、計測ターゲットを設け、この計測ターゲットは永久磁石を有すると共に、各層に埋設するアンカー部を有する（公報第００２８段）。各層のいずれかが沈下などを起こせば、その部分の計測ターゲットの位置が変化し、すなわち地表から計測ターゲットまでの距離が変化し、地中の変位を測定することができる（公報第００２９段）ことが記載されている。
【０００５】
上記変位計測方法においては、ケーブル状センサを地盤に挿通し、計測ターゲットを地中に固定するものであるが、広く実用化するためには、施工において、ケーブル状センサの挿通作業や計測ターゲットの固定作業などの簡略化が望まれている。
【０００６】
そこで、本発明は、現場での設置作業が容易で、施工性に優れ、地盤層の変位を正確に計測することができる地盤層の変位計測装置とその設置方法を提供することを目的とする。
【０００７】
【課題を解決するための手段】
請求項１の装置は、地盤層内に設ける磁歪線と、この磁歪線に沿って移動可能に設けられ永久磁石を有する計測ターゲットと、この計測ターゲットに設けられ前記地盤層内で拡大して該計測ターゲットを前記地盤層に固定する拡大固定手段と、前記磁歪線の長さ方向に対する前記計測ターゲットの位置を磁歪効果により検出する計測器とを備え、前記地盤層にケーシングを挿入し、このケーシング内に前記ガイド管を配置すると共に、このガイド管内に前記磁歪線を配置し、前記ガイド管と前記ケーシングとの間に前記計測ターゲットを配置し、この計測ターゲットを前記ケーシングから出すことにより該計測ターゲットを前記地盤層に固定し、前記地盤層に前記ガイド管を埋設した地盤層の変位計測装置であって、前記計測ターゲットは、前記ガイド管に遊挿するガイド孔を有し、前記ガイド管に沿って前記計測ターゲットを移動可能に設け、前記拡大固定手段は、上，下筒部と、これら上，下筒部に上下を固定し外周側に凸に湾曲するスペーサと、下端を前記下筒部に固定し外周拡大方向に付勢されたバネ手段と、前記ケーシング収納状態で該ケーシングの内面に圧接する前記バネ手段の先端とを備えるものである。
【０００８】
この請求項１の構成によれば、拡大固定手段が地盤層内で拡大して計測ターゲットを地盤層に固定し、固定位置の地盤層が変位すると計測ターゲットの位置が変わり、地盤層の変位を計測器により検出することができる。そして、固定された地盤層が変位すると、計測ターゲットが移動し、ガイド管内の磁歪線と地上の計測器とにより地盤層の変位が検出される。また、磁歪線をガイド管内に挿入配置したから、ガイド管内から磁歪線を引き上げて回収し、再利用することもできる。また、ガイド孔により計測ターゲットがガイド管に沿って移動可能となる。また、拡大固定手段はバネ手段により外周に拡大するから、動力が不要であり、構造簡易にして確実な固定状態が得られる。
【０００９】
請求項２の設置方法は、地盤層内に設ける磁歪線と、この磁歪線に沿って移動可能に設けられ永久磁石を有する計測ターゲットと、この計測ターゲットに設けられ前記地盤層内で拡大して該計測ターゲットを前記地盤層に固定する拡大固定手段と、前記磁歪線の長さ方向に対する前記計測ターゲットの位置を磁歪効果により検出する計測器とを用い、前記計測ターゲットを前記地盤層に固定する地盤層の変位計測装置の設置方法において、前記地盤層にケーシングを挿入し、このケーシング内にガイド管を配置すると共に、このガイド管内に前記磁歪線を配置し、前記ガイド管と前記ケーシングとの間に前記計測ターゲットを配置し、前記ケーシング内の前記計測ターゲットを押えると共に押込むことができる押込管は、前記ケーシングの内径より小さいと共に前記ガイド管の外径より大きく、地上から前記ガイド管と前記ケーシングとの間に挿入した前記押込管により、前記計測ターゲットを前記ケーシングより押し出すことにより該計測ターゲットを前記地盤層に固定する方法である。
【００１０】
この請求項２の構成によれば、計測ターゲットをケーシングから押し出し、あるいは計測ターゲットを位置固定してケーシングを引き上げると、ケーシングから出た計測ターゲットが地盤層に固定される。そして、地上から挿入した押え部材により計測ターゲットを押し出すことにより、計測ターゲットが地盤層に固定され、このように、地上側から挿入した押え手段により、計測ターゲットを操作して地盤層に固定できる。しかも、拡大固定手段が拡大して計測ターゲットを確実に周囲の地盤層に固定できる。
【００１１】
【発明の実施形態】
以下、本発明の実施例を添付図面を参照して説明すると、図１ないし図８は本発明の第１実施例を示し、上述した図９及び図１０と同一部分に同一符号を付し、その詳細な説明を省略して詳述する。層別沈下計である変位計測装置のセンサ１は、図２及び図５などに示すように、ヘッド部２の下部にステンレス製ロッド３を接続し、このロッド３内に磁歪線４を設け、前記ヘッド部２の上部に、可撓性を有するケーブル５を接続し、このケーブル５が前記磁歪線４に電気的に接続されている。
【００１２】
図３及び図４などに示すように、計測ターゲット11は、リング体12とこのリング体12の下部に一体に設ける拡大固定手段13とからなる。前記リング体12の上面には溝部14が形成され、この溝部14内に、複数の永久磁石15，15…を円周方向等間隔に収納すると共に、該溝部14内に樹脂16を充填固化し、該樹脂16により永久磁石15をモールドしている。
【００１３】
前記拡大固定手段13は、上，下筒部17，18の間に、外周側に凸に湾曲したスペーサ19，19，19，19を四方に設け、これらスペーサ19，19間にはスリット20が設けられている。そして、スペーサ19は板片状をなし、上下を上，下筒部17，18に固定したものであって、バネ性を有する。また、前記下筒部18には、板バネ21の下端が固定され、この板バネ21は、外周側に凹に湾曲し、図３に示すように、ケーシング32に収納した状態では、先端21Ａが該ケーシング32の内面に圧接し、この状態では前記板バネ21は弾性変形してスリット20の内側に部分的に収納可能とされ、一方、ケーシング32の外に出ると、ケーシング32による規制がなくなり、図１などに示すように、先端21Ａが外周側に突出する弾性を有する。尚、前記板バネ21がバネ手段である。前記リング体12の下部には取付部22が設けられ、この取付部22内に前記上筒部17を挿入し、ビス等の固定手段23により取付部22に前記上筒部17を固定する。そして、前記計測ターゲット11には、リング体12の中央及び拡大固定手段13の中央に連通するガイド孔24が形成されている。
【００１４】
また、地表面52に設ける計測ターゲット11Ａは、図２などに示すように、前記リング体12に平板25を一体に設けてなり、それらを貫通するガイド孔24Ａが形成されている。そして、図１及び図２に示すように、地盤層51の深い方から、測点Ｓ１，Ｓ２，Ｓ３，Ｓ４に、それぞれセンサ１及び計測ターゲット11が設けられ、地表面52位置の測点Ｓ５にセンサ１及び計測ターゲット11Ａが設けられる。
【００１５】
ガイド管31は塩化ビニール製のパイプなどからなり、非磁性材料のものが用いられ、端部に形成した雄雌テーパねじにより接続され、該ガイド管31内には、前記センサ１が挿入配置される。また、ガイド管31の下端に蓋体31Ａを設けている。32は地盤層内にボーリングなどにより挿入されるケーシングである。33は前記ケーシング32とガイド管31との間に挿入する押え手段たる押込管であり、前記ケーシング32の内径より小さく、前記ガイド管31の外径より大きく、図３に示すように、押込管33の下端が前記リング体12を押えると共に下方に押込むことができるようになっている。また、前記ガイド管31の下部側には、スペーサ部材34が設けられ、このスペーサ部材34は前記上下筒部17，18とスペーサ19とからなる。
【００１６】
また、前記センサ１のケーブル５は、地上の制御装置41に接続され、この制御装置41により所定時間間隔で前記計測器102より磁歪線４の基端に電気パルス信号が与えられ、この電気パルス信号により磁歪線４の周囲に円周方向の磁場が発生し、各計測ターゲット11，11Ａの永久磁石15の位置でウィーデマン効果により磁歪線４に振動が伝播し、超音波振動が戻り、前記電流パルス信号が磁歪線４の基端に入力された時点と前記検出器105が超音波振動を検出した時点との時間差から、永久磁石15の磁歪線４に沿った距離を計測して各計測ターゲット11，11Ａのセンサ１に対する位置を測定することができ、これを前記制御装置41は、ディスプレーやプリンターにグラフとして出力する。尚、後述する設置例で説明するように、設置時にセンサ１の地表面からの位置を計測するから、この後、計測ターゲット11が移動すれば、その位置を検出できる。
【００１７】
次に、前記変位計測装置の設置方法につき説明する。この例では、図１に示すように、地盤層51は、地表面52側から、粘性土層53，腐植土層54，砂質土層55，粘性土層53Ａ，腐植土層54Ａ，砂質土層55Ａ，粘性土層53Ｂ，砂質土層55Ｃの順で形成されている。
【００１８】
設置手順を図７〜図８の断面説明図を用いて説明する。尚、図７（Ｃ）の次の工程が図８（Ｄ）である。また、図８（Ｆ）と図８（Ｇ）では説明のため、計測ターゲット11の寸法を変えて図示している。まず、図示しない掘削装置により、図７（Ａ）に示すように、ケーシング32を地盤層51の所定深さまで挿入する。そして、掘削により発生した土砂などは地上に排出し、ケーシング32の内部を洗浄する。そして、図７（Ｂ）に示すように、ガイド管31を鎖線に示すようにケーシング32とほぼ同じ深さまで挿入する。この場合、ガイド管31にスペーサ部材34を設けているから、ケーシングパイプ32の中心にガイド管31が正しく位置決めされる。ガイド管31をケーシングパイプ32内に挿入したら、実線に示すようにスペーサ部材34が外に出る位置までケーシング32を引き上げる。さらに、図７（Ｃ）に示すように、測点Ｓ１対応位置までケーシング32を引き上げ、まず、地上からガイド管31にガイド孔24Ａを合わせて、ケーシングパイプ32内に計測ターゲット11を挿入し、図８（Ｄ）に示すように、地上から押込管33をケーシングパイプ32とガイド管31の間に挿入し、該押込管33の下端によりリング体12の上面を押し、計測ターゲット11を押込み、さらに、ケーシングパイプ32の下端から外部に計測ターゲット11を押し出す。こうすると、板バネ21が開き、地盤層51に食い込み、計測ターゲット11が測点Ｓ１に固定される。この後、ガイド管31内にセンサ１を挿入し、図８（Ｅ）に示すように、センサ１を計測ターゲット11の位置まで下ろし、ここでガイド管31に入ったケーブル５の長さを測定すると共に、該ケーブル５にテスタ42を接続し、センサ１に対する計測ターゲット11の位置を検出し、これにより計測ターゲット11の位置を算出する。この場合、ガイド管31は地盤層51に固定しているから、地表面52等を基準として、計測ターゲット11の位置を算出することができる。このようにして、測点Ｓ１の位置を算出した後、センサ１を引き上げる。尚、テスタ42は、前記制御装置41と計測器102の機能を有するものである。そして、下から順次測点Ｓ２，Ｓ３，Ｓ４ごとに同様な工程を繰り返して、図８（Ｆ）及び図１に示すように、複数の計測ターゲット11を地盤層51内に固定する。また、地表面52にはセンサ１及び計測ターゲット11Ａを配置し、最上部の測点Ｓ５の位置を計測した後、センサ１を引き上げる。このようにして、各測点Ｓ１，Ｓ２，Ｓ３，Ｓ４，Ｓ５ごとに計測ターゲット11，11，11，11，11Ａの固定及び位置の計測が完了したら、図２に示すように、各センサ１，１，１，１，１のケーブル５，５，５，５，５の長さを、対応する測点Ｓ１，Ｓ２，Ｓ３，Ｓ４，Ｓ５の位置に合わせて設定し、図８（Ｇ）に示すように、センサ１，１，１，１，１を各測点Ｓ１，Ｓ２，Ｓ３，Ｓ４，Ｓ５まで下ろし、位置固定する。
【００１９】
そして、各ケーブル１，１，１，１，１を計測器102に接続する。
【００２０】
したがって、地盤層51の測点Ｓ１，Ｓ２，Ｓ３，Ｓ４，Ｓ５のいずれかが沈下を起こせば、その部分の計測ターゲット11，11Ａの位置が変化し、地盤層51の変位を測定することができ、この例の装置では、多点計測が可能な層別沈下計として変位を計測することができる。
【００２１】
また、計測が終了したら、ガイド管31からセンサ１を引き上げて回収することもできる。
【００２２】
このように本実施例では、請求項１に対応して、地盤層51内に設ける磁歪線４と、この磁歪線４に沿って移動可能に設けられ永久磁石15を有する計測ターゲット11と、この計測ターゲット11に設けられ地盤層51内で拡大して該計測ターゲット11を地盤層51に固定する拡大固定手段13と、磁歪線４の長さ方向に対する計測ターゲット11の位置を磁歪効果により検出する計測器102とを備え、地盤層51にケーシング32を挿入し、このケーシング32内にガイド管31を配置すると共に、このガイド管31内に磁歪線４を配置し、ガイド管31とケーシング32との間に計測ターゲット11を配置し、この計測ターゲット11をケーシング32から出すことにより該計測ターゲット11を地盤層51に固定し、地盤層51にガイド管31を埋設した地盤層の変位計測装置であって、計測ターゲット11は、ガイド管31に遊挿するガイド孔24を有し、ガイド管31に沿って計測ターゲット11を移動可能に設け、拡大固定手段13は、上，下筒部17，18と、これら上，下筒部17，18に上下を固定し外周側に凸に湾曲するスペーサ19と、下端を下筒部18に固定し外周拡大方向に付勢されたバネ手段21と、ケーシング32収納状態で該ケーシング32の内面に圧接するバネ手段21の先端21Ａとを備えるから、拡大固定手段13が地盤層51内で拡大して計測ターゲット11を地盤層51に固定し、固定位置の地盤層51が変位すると計測ターゲット11の位置が変わり、地盤層51の変位を計測器102により検出することができる。
【００２３】
また、このように本実施例では、請求項１に対応して、固定された地盤層51が変位すると、計測ターゲット11が移動し、ガイド管31内の磁歪線４と地上の計測器102とにより地盤層51の変位が検出される。また、磁歪線４をガイド管31内に挿入配置したから、ガイド管31内から磁歪線４を引き上げて回収し、再利用できる。
【００２４】
また、このように本実施例では、請求項１に対応して、ガイド孔24により計測ターゲット11がガイド管31に沿って移動可能となる。また、拡大固定手段13はバネ手段により外周に拡大するから、動力が不要であり、構造簡易にして確実な固定状態が得られる。
【００２５】
このように本実施例では、請求項２に対応して、地盤層51内に設ける磁歪線４と、この磁歪線４に沿って移動可能に設けられ永久磁石15を有する計測ターゲット11と、この計測ターゲット11に設けられ地盤層51内で拡大して該計測ターゲット11を地盤層51に固定する拡大固定手段13と、磁歪線４の長さ方向に対する計測ターゲット11の位置を磁歪効果により検出する計測器102とを用い、計測ターゲット11を地盤層51に固定する地盤層の変位計測装置の設置方法において、地盤層51にケーシング32を挿入し、このケーシング32内にガイド管31を配置すると共に、このガイド管31内に磁歪線４を配置し、ケーシング32内の計測ターゲット11を押えると共に押込むことができる押込管33は、ケーシング11の内径より小さいと共にガイド管31の外径より大きく、地上からガイド管31とケーシング11との間に挿入した押込管33により、計測ターゲット11をケーシング32より押し出すから、計測ターゲット11をケーシング32から押し出し、あるいは計測ターゲット11を位置固定してケーシング32を引き上げると、ケーシング32から出た計測ターゲット11を地盤層51に固定される。
【００２６】
このように本実施例では、請求項２に対応して、計測ターゲット11が地盤層51に固定され、このように、地上側から挿入した押込管33により、計測ターゲット11を操作して地盤層51に固定することができる。
【００２７】
さらに、このように本実施例では、請求項２に対応して、拡大固定手段13が拡大して計測ターゲット11を確実に周囲の地盤層51に固定することができる。
【００２８】
また、実施例上の効果として、計測ターゲット11は、ケーシング32の内径とほぼ大きさの等しいスペーサ19を有するから、該ケーシング32の中心に正しく計測ターゲット11を合わせることができる。さらに、板バネ21は下部が固定され、先端21Ａが上側外向きとなっているから、ケーシング32の挿入時には該板バネ21がスムーズに内側に弾性変形するため、挿入抵抗が少く済む。また、板バネ21は外周側に凹に湾曲しているから、ケーシング32の外に出ると、先端21Ａが外向きとなって周囲の地盤層51に固定する。また、センサ１は各測点Ｓ１，Ｓ２，Ｓ３，Ｓ４，Ｓ５ごとに設けたから、短く済み、装置を安価となすことができる。また、押え部材は押込管33であるから、ガイド管31及びケーシング32にガイドされてスムーズに押込むことができる。
【００２９】
尚、本発明は上記実施例に限定されるものではなく、本発明の要旨の範囲内において種々の変形実施が可能である。例えば、拡大固定手段は各種のものを用いることができ、特に、バネによりケーシング内では縮小し、ケーシング外では該バネにより拡大するものが安価で且つ確実に動作するため好ましい。また、センサは複数の測点に跨る長さのものでもよく、例えば、特開２００１−９１３１３号公報に記載される多数点の位置を計測するタイプのものでもよく、この場合は、地表面から最下部の計測ターゲット位置までの長さを有する１本のセンサを用いればよい。あるいは、２本以上のセンサを用いて、センサ毎に複数の計測ターゲットを設けるようにしてもよい。
【００３０】
【発明の効果】
請求項１の装置は、地盤層内に設ける磁歪線と、この磁歪線に沿って移動可能に設けられ永久磁石を有する計測ターゲットと、この計測ターゲットに設けられ前記地盤層内で拡大して該計測ターゲットを前記地盤層に固定する拡大固定手段と、前記磁歪線の長さ方向に対する前記計測ターゲットの位置を磁歪効果により検出する計測器とを備え、前記地盤層にケーシングを挿入し、このケーシング内にガイド管を配置すると共に、このガイド管内に前記磁歪線を配置し、前記ガイド管と前記ケーシングとの間に前記計測ターゲットを配置し、この計測ターゲットを前記ケーシングから出すことにより該計測ターゲットを前記地盤層に固定し、前記地盤層に前記ガイド管を埋設した地盤層の変位計測装置であって、前記計測ターゲットは、前記ガイド管に遊挿するガイド孔を有し、前記ガイド管に沿って前記計測ターゲットを移動可能に設け、前記拡大固定手段は、上，下筒部と、これら上，下筒部に上下を固定し外周側に凸に湾曲するスペーサと、下端を前記下筒部に固定し外周拡大方向に付勢されたバネ手段と、前記ケーシング収納状態で該ケーシングの内面に圧接する前記バネ手段の先端とを備えるものであり、現場での設置作業が容易で、施工性に優れ、地盤層の変位を正確に計測することができる地盤層の変位計測装置を提供することができる。
【００３１】
請求項２の設置方法は、地盤層内に設ける磁歪線と、この磁歪線に沿って移動可能に設けられ永久磁石を有する計測ターゲットと、この計測ターゲットに設けられ前記地盤層内で拡大して該計測ターゲットを前記地盤層に固定する拡大固定手段と、前記磁歪線の長さ方向に対する前記計測ターゲットの位置を磁歪効果により検出する計測器とを用い、前記計測ターゲットを前記地盤層に固定する地盤層の変位計測装置の設置方法において、前記地盤層にケーシングを挿入し、このケーシング内にガイド管を配置すると共に、このガイド管内に前記磁歪線を配置し、前記ガイド管と前記ケーシングとの間に前記計測ターゲットを配置し、前記ケーシング内の前記計測ターゲットを押えると共に押込むことができる押込管は、前記ケーシングの内径より小さいと共に前記ガイド管の外径より大きく、地上から前記ガイド管と前記ケーシングとの間に挿入した前記押込管により、前記計測ターゲットを前記ケーシングより押し出すことにより該計測ターゲットを前記地盤層に固定する方法であり、現場での設置作業が容易で、施工性に優れ、地盤層の変位を正確に計測することができる地盤層の変位計測装置の設置方法を提供することができる。
【図面の簡単な説明】
【図１】本発明の一実施例を示す設置状態の断面図である。
【図２】同上、各測点のセンサと計測ターゲットの正面図である。
【図３】同上、ケーシング内に計測ターゲットとセンサとを入れた状態の縦断面図である。
【図４】同上、ケーシング内に計測ターゲットとセンサとを入れた状態の平断面図である。
【図５】同上、センサの正面図である。
【図６】同上、ガイド管のスペーサ部材の斜視図である。
【図７】同上、設置手順を説明する断面説明図であり、図７（Ａ）はケーシングの挿入状態、図７（Ｂ）はケーシング内にガイド管を挿入し、ケーシングを多少引き上げた状態、図７（Ｃ）は測点対応位置までケーシングを引き上げた状態を示す。
【図８】同上、設置手順を説明する断面説明図であり、図８（Ｄ）は押込管により計測ターゲットをケーシングの外部に押し出す状態、図８（Ｅ）はガイド管にセンサを挿入し、計測ターゲットの位置を検出する状態、図８（Ｆ）は各測点に計測ターゲットを固定した状態、図８（Ｇ）はガイド管にセンサを挿入して固定した状態を示す。
【図９】従来例を示す磁歪式変位センサの平面図である。
【図１０】従来例を示すセンサの動作を説明する磁歪線の斜視図である。
【符号の説明】
４  磁歪線
11，11Ａ  計測ターゲット
13  拡大固定手段
15  永久磁石
17  上筒部
18  下筒部
24  ガイド孔
21  板バネ（バネ手段）
21Ａ  先端
31  ガイド管
32  ケーシング
33  押込管（押え手段）
51  地盤層
102  計測器
【図１】
0003702461.tif 000002
【図２】
0003702461.tif 000003
【図３】
0003702461.tif 000004
【図４】
0003702461.tif 000005
【図５】
0003702461.tif 000006
【図６】
0003702461.tif 000007
【図７】
0003702461.tif 000008
【図８】
0003702461.tif 000009
【図９】
0003702461.tif 000010
【図１０】
0003702461.tif 000011